(57)【要約】　【課題】　複数の大きさの記録用紙を使用することができるとともに、使用される記録用紙に応じて占有面積を必要最小限にすることができる画像形成装置を提供する。　【解決手段】　給紙カセット７を挿入する前面１ｇと、前面１ｇと直交して給紙方向と反対側の側面１ｈに繋がって開口する開口部１ｊが設けられており、ファクシミリ本体１の給紙部６は正面及び側面から見てコ字型をしている。また前面１ｇには４箇所のナット部１ｋが設けられている。フレーム２０の開口部２０ａの外周に上記ナット部１ｋに対応する間隔で各４箇所の孔部２０ｂ、２０ｃ、２０ｄが設けられており、フレーム２０の孔部２０ｂ、２０ｃまたは２０ｄを介してファクシミリ本体１のナット部１ｋにボルトを螺合することにより、フレーム２０を異なる位置でファクシミリ本体１に締結することができるようになっている。【選択図】　　　図２、図３
2004010356.tif 000002
【特許請求の範囲】
【請求項１】
記録用紙が充填された給紙カセットを装着し、該装着の方向と直交する給紙方向に給紙が行われる画像形成装置において、
給紙カセットを挿入する挿入面と該挿入面に直交する面とに連通する挿入口により該二面の断面をコ字型にしたことを特徴とする画像形成装置。
【請求項２】
前記給紙カセットを記録用紙の長さに応じて伸縮可能にしたことを特徴とする請求項１に記載の画像形成装置。
【請求項３】
使用される最大長さの記録用紙に対応できる給紙カセットが通過可能な開口部を有して前記挿入面に取り付けられるとともに、給紙カセットの大きさに応じて移設可能なフレームを備えたことを特徴とする請求項１または請求項２に記載の画像形成装置。
【請求項４】
記録用紙を排出してストックする記録紙スタッカを有し、前記記録紙スタッカが前記給紙カセットより排出方向に突出するようにしたことを特徴とする請求項１乃至請求項３のいずれかに記載の画像形成装置。
【請求項５】
記録用紙を排出してストックする記録紙スタッカと、原稿を排出してストックする原稿スタッカとを有し、前記記録紙スタッカまたは前記原稿スタッカが前記給紙カセットより排出方向に突出するようにしたことを特徴とする請求項１乃至請求項３のいずれかに記載の画像形成装置。
【発明の詳細な説明】
【技術分野】
【０００１】
　本発明は、ファクシミリ、プリンタ、または複写機等の給紙カセットを有する画像形成装置に関する。
【背景技術】
【０００２】
　図１０の（ａ）、（ｂ）に従来のファクシミリの上面図及び正面図を示す。ファクシミリ本体１の中央側部に電源１３が設置され、上部には送信操作を行う操作部３及び送信する原稿をセットする原稿設置部２が設けられている。原稿は読み取り部５による情報の読み取り後送信が行われ、矢印Ａ方向に排出されて原稿スタッカ４にストックされるようになっている。
【０００３】
　ファクシミリ本体１の下部には、給紙部６が設けられ、記録用紙Ｐが押上板８によってピックアップローラー９に押しつけられる。ファクシミリ通信を受信すると、ピックアップローラー９の回転により１枚づつ記録用紙が取り出され、搬送ローラー１０を経て記録部１１に給紙される。受信した情報に基づいて記録部１１で記録用紙に画像が形成され、矢印Ｂ方向に排出されて記録紙スタッカ１２に記録用紙Ｐ′がストックされるようになっている。
【０００４】
　図１１の（ａ）、（ｂ）に給紙部６の上面断面図及び正面断面図を示すと、記録用紙Ｐは給紙カセット７に充填されており、給紙カセット７は矢印Ｃ方向に引き出して記録用紙Ｐの補給を行うようになっている。給紙カセット７を引き出した状態を図１２に示す。
【０００５】
　このような構成のファクシミリは、ファクシミリ本体１の側部（上記例では右側）に給紙カセット７を引き出すスペースが必要になり、占有面積が大きくなる。このため、図１３の（ａ）、（ｂ）に示すように、使用者が操作するためのスペースが設けられている正面側（矢印Ｄ方向）に給紙カセット７を引き出すことのできるファクシミリが商品化されている。
【発明の開示】
【発明が解決しようとする課題】
【０００６】
　しかしながら、ユーザーによって長さの異なる記録用紙Ｐを使用するために、給紙カセット７は記録可能な最大長の記録用紙Ｐに対応した幅にする必要がある。それに伴ってファクシミリ本体１の幅が大きくなる。
【０００７】
　例えば、前述の図１３の（ｂ）に示すように、ユーザーがレター用紙（長さＬ１＝２７９ｍｍ）またはＡ４用紙（長さＬ２＝２９７ｍｍ）のみを使用する場合であっても、リーガル用紙（長さＬ３＝３５６ｍｍ）に対応した幅Ｗ１の給紙カセット７を使用しなければならず、ファクシミリ本体１の幅Ｗ２が大きくなり、占有面積を大きくしていた。
【０００８】
　本発明は、長さが異なった複数の記録用紙を使用できるとともに、占有面積を必要最小限にすることのできる画像形成装置を提供することを目的とする。
【課題を解決するための手段】
【０００９】
　上記目的を達成するために請求項１に記載された発明は、記録用紙が充填された給紙カセットを装着し、該装着の方向と直交する給紙方向に給紙が行われる画像形成装置において、給紙カセットを挿入する挿入面と該挿入面に直交する面とに連通する挿入口により該二面の断面をコ字型にしたことを特徴とする。
【００１０】
　また請求項２に記載された発明は、上記構成の画像形成装置において、前記給紙カセットを記録用紙の長さに応じて伸縮可能にしたことを特徴とする。
【００１１】
　また請求項３に記載された発明は、上記構成の画像形成装置において、使用される最大長さの記録用紙に対応できる給紙カセットが通過可能な開口部を有して前記挿入面に取り付けられるとともに、給紙カセットの大きさに応じて移設可能なフレームを備えたことを特徴とする。
【００１２】
　また請求項４に記載された発明は、上記構成の画像形成装置において、記録用紙を排出してストックする記録紙スタッカを有し、前記記録紙スタッカが前記給紙カセットより排出方向に突出するようにしたことを特徴とする。
【００１３】
　また請求項５に記載された発明は、上記構成の画像形成装置において、記録用紙を排出してストックする記録紙スタッカと、原稿を排出してストックする原稿スタッカとを有し、前記記録紙スタッカまたは前記原稿スタッカが前記給紙カセットより排出方向に突出するようにしたことを特徴とする。
【発明の効果】
【００１４】
　請求項１に記載の発明によると、画像形成装置は給紙方向と反対側の壁面と給紙カセットを挿入する壁面とが繋がって開口し、給紙カセットは給紙方向と反対側の壁面から突出した状態で装着することが可能になる。これにより、複数の大きさの記録用紙を使用することができるとともに、画像形成装置本体の幅を小さくすることができ、使用される記録用紙に応じて、画像形成装置の占有面積を必要最小限にすることができる。
【００１５】
　また、請求項２に記載の発明によると、給紙カセットを使用される記録用紙の長さに応じて伸縮して使用される。これにより、画像形成装置の占有面積を必要最小限にすることができるとともに、複数の給紙カセットを用意する必要がなくコスト増加を防止することができる。
【００１６】
　また、請求項３に記載の発明によると、給紙カセットはフレームの開口部を通って画像形成装置に挿入されるため、複数の大きさの記録用紙を使用することができるとともに、画像形成装置本体の幅を小さくできる画像形成装置を耐荷重を低下させることなく実現できる。そして、使用される記録用紙に応じて、画像形成装置の占有面積を必要最小限にすることができる。
【００１７】
　また、請求項４に記載の発明によると、記録紙スタッカより給紙カセットが突出しないので、記録紙スタッカ下部に周辺機器等を設置できるスペースを確保できる。
【００１８】
　また、請求項５に記載の発明によると、原稿スタッカまたは記録紙スタッカより給紙カセットが突出しないので、原稿スタッカまたは記録紙スタッカ下部に周辺機器等を設置できるスペースを確保できる。
【発明を実施するための最良の形態】
【００１９】
　本発明の実施形態を図面を参照して説明する。説明の便宜上従来例の図１０〜図１３と同一の部材については同一の符号を付している。図１は第１実施形態のファクシミリの正面図である。同図において、記録用紙Ｐとしてレター用紙（長さＬ１＝２７９ｍｍ）のみを使用する場合を示している。この状態のファクシミリにおける給紙カセット７を引き出した状態の給紙部６の上面断面図、正面断面図及び側面断面図を図２の（ａ）、（ｂ）、及び（ｃ）に示す。ファクシミリ本体１の前面には開口部２０ａを有したフレーム２０が取り付けられている。記録用紙Ｐが充填される給紙カセット７は、開口部２０ａを通してファクシミリ本体１に装着され、矢印Ｄ方向に引き出して記録用紙Ｐの補給を行うようになっている。
【００２０】
　給紙部６のファクシミリ本体１の外形を図３の（ａ）、（ｂ）、（ｃ）の上面断面図、正面図及び側面図に示すと、給紙カセット７を挿入する前面１ｇと前面１ｇと直交して給紙方向と反対側の側面１ｈに繋がって開口する開口部１ｊが設けられており、ファクシミリ本体１の給紙部６は正面及び側面から見てコ字型をしている。また前面１ｇには４箇所のナット部１ｋが設けられている。フレーム２０の詳細を図４の（ａ）、（ｂ）の上面図及び正面図に示すと、開口部２０ａの外周に上記ナット部１ｋに対応する間隔で各４箇所の孔部２０ｂ、２０ｃ、２０ｄが設けられている。
【００２１】
　フレーム２０の孔部２０ｂ、２０ｃまたは２０ｄを介してファクシミリ本体１のナット部１ｋにボルトを螺合することにより、フレーム２０を異なる位置でファクシミリ本体１に締結することができるようになっている。前述の図１、図２の状態は孔部２０ｂを介してファクシミリ本体１とフレーム２０とがボルト２２により締結されている。
【００２２】
　図５、図６はフレーム２０の孔部２０ｃを介してファクシミリ本体１とフレーム２０とをボルト２２により締結した状態を示している。図５は正面図、図６の（ａ）、（ｂ）は給紙カセット７を引き出した状態の給紙部６の上面断面図及び正面断面図を示している。これらの図によると、図１に対してフレーム２０を図中、左方に配置しているので給紙カセット７のトレイ部７１を大きくすることができる。
【００２３】
　そして、トレイ部７１を大きくしてもファクシミリ本体１はコ字型をしている（図３参照）ので給紙カセット７はファクシミリ本体１に干渉されずに装着することができる。従って、記録用紙Ｐとして、レター用紙（長さＬ１＝２７９ｍｍ）及びＡ４用紙（長さＬ２＝２９７ｍｍ）を使用することができる。
【００２４】
　図７、図８はフレーム２０の孔部２０ｄを介してファクシミリ本体１とフレーム２０とをボルト２２により締結した状態を示している。図７は正面図、図８の（ａ）、（ｂ）は給紙カセット７を引き出した状態の給紙部６の上面断面図及び正面断面図を示している。これらの図によると、図５に対してフレーム２０を図中、左方に配置しているので給紙カセット７のトレイ部７１を更に大きくすることができる。
【００２５】
　そして、トレイ部７１を大きくしてもファクシミリ本体１はコ字型をしている（図３参照）ので給紙カセット７はファクシミリ本体１に干渉されず、給紙方向と反対方向にファクシミリ本体１から突出して装着することができる。従って、記録用紙Ｐとして、レター用紙（長さＬ１＝２７９ｍｍ）、Ａ４用紙（長さＬ２＝２９７ｍｍ）及びリーガル用紙（長さＬ３＝３５６ｍｍ）を使用することができる。
【００２６】
　本実施形態のファクシミリでは、ファクシミリ本体１の幅Ｗ１が給紙カセット７の大きさに依存しないので、小さくすることができ、ユーザーによってレター用紙やＡ４用紙のみを使用するような場合にファクシミリの占有面積を小さくすることができる。
【００２７】
　そして、図７のようにリーガル用紙を使用する場合においても、ファクシミリ本体１から給紙カセット７のトレイ部７１が突出する突出部Ｆが、原稿スタッカ４または記録紙スタッカ１２より突出しないようにピックアップローラー９や搬送ローラー１０を配置して、原稿スタッカ４または記録紙スタッカ１２の下部に周辺機器等を設置できるようにしている。
【００２８】
　尚、フレーム２０は必ずしも必要としないが、フレーム２０を取り付けることでファクシミリ本体１のコ字型の開放部分Ｅ（図３参照）の耐荷重の減少を補完することができる。また、各記録用紙Ｐに対して専用の大きさのトレイ部７１を有した給紙カセット７を複数用意してもよいが、本実施形態では図９に示すように、トレイ部７１を全部７２と後部７３に分割して、レター用紙Ｐ１、Ａ４用紙Ｐ２、及びリーガル用紙Ｐ３に対応した大きさにスライド伸縮可能に構成して給紙カセット７を兼用できるようにしている。
【００２９】
　本実施形態では記録用紙Ｐとしてレター用紙、Ａ４用紙、及びリーガル用紙を使用できるファクシミリについて説明したが、他の大きさの記録用紙を使用するようにしてもよい。また、ファクシミリに限らず、給紙カセットを必要とする複写機やプリンタ等の他の画像形成装置においても同様に構成することができる。プリンタ等の場合には原稿をセットしないので原稿スタッカ４は必要なく、給紙カセット７の突出部Ｆ（図７参照）が記録紙スタッカ１２より突出しないようにするとより望ましい。
【図面の簡単な説明】
【００３０】
【図１】は、本発明の第１実施形態のファクシミリのレター用紙使用状態を示す図である。
【図２】は、本発明の第１実施形態のファクシミリの給紙部のレター用紙使用状態を示す図である。
【図３】は、本発明の第１実施形態のファクシミリの給紙部を示す図である。
【図４】は、本発明の第１実施形態のファクシミリのフレームを示す図である。
【図５】は、本発明の第１実施形態のファクシミリのＡ４用紙使用状態を示す図である。
【図６】は、本発明の第１実施形態のファクシミリの給紙部のＡ４用紙使用状態を示す図である。
【図７】は、本発明の第１実施形態のファクシミリのリーガル用紙使用状態を示す図である。
【図８】は、本発明の第１実施形態のファクシミリの給紙部のリーガル用紙使用状態を示す図である。
【図９】は、本発明の第１実施形態のファクシミリの給紙カセットを示す図である。
【図１０】は、従来のファクシミリを示す図である。
【図１１】は、従来のファクシミリの給紙部を示す図である。
【図１２】は、従来のファクシミリの給紙カセットを引き出す状態を示す図である。
【図１３】は、従来の他のファクシミリの給紙部を示す図である。
【符号の説明】
【００３１】
　　　　１　　ファクシミリ本体
　　　　３　　操作部
　　　　４　　原稿スタッカ
　　　　５　　読み取り部
　　　　６　　給紙部
　　　　７　　給紙カセット
　　　　８　　押上板
　　　　９　　ピックアップローラー
　　　１０　　搬送ローラー
　　　１１　　記録部
　　　１２　　記録紙スタッカ
　　　２０　　フレーム
　　　７１　　トレイ部
　　　　Ｐ　　記録用紙
【図１】
2004010356.tif 000003
【図２】
2004010356.tif 000004
【図３】
2004010356.tif 000005
【図４】
2004010356.tif 000006
【図５】
2004010356.tif 000007
【図６】
2004010356.tif 000008
【図７】
2004010356.tif 000009
【図８】
2004010356.tif 000010
【図９】
2004010356.tif 000011
【図１０】
2004010356.tif 000012
【図１１】
2004010356.tif 000013
【図１２】
2004010356.tif 000014
【図１３】
2004010356.tif 000015